【手続補正書】
【提出日】平成17年11月11日(2005.11.11)
【手続補正１】
【補正対象書類名】明細書
【補正対象項目名】発明の名称
【補正方法】変更
【補正の内容】
【発明の名称】撮像装置および記録媒体
【手続補正２】
【補正対象書類名】明細書
【補正対象項目名】特許請求の範囲
【補正方法】変更
【補正の内容】
【特許請求の範囲】
【請求項１】  静止画像を記憶する画像記録媒体を有する撮像装置において、
静止画像を撮像する撮像手段と、
一時的に複数の静止画像を記憶可能な一時記憶手段と、
撮影可能コマ数を表示する表示手段と、
前記一時記憶手段および前記画像記録媒体の使用状態を監視し、前記一時記憶手段に記憶可能な静止画像のコマ数と前記画像記録媒体に記憶可能な静止画像のコマ数とを比較し、いずれか少ない方のコマ数を前記撮影可能コマ数として前記表示手段に表示させる制御手段と
を備えることを特徴とする撮像装置。
【請求項２】  被写体の静止画像を撮像する撮像手段と、
被写体を観察する観察手段と、
一時的に複数の静止画像を記憶可能な一時記憶手段と、
前記観察手段と同時に視認できる位置に配置された表示手段と、
前記一時記憶手段の使用状態を監視し、前記一時記憶手段に記憶可能な撮影コマ数を調べ、前記撮影コマ数を前記表示手段に表示させる制御手段と
を備えることを特徴とする撮像装置。
【請求項３】  静止画像を記憶する画像記録媒体を有する撮像装置に、
静止画像を撮像する撮像ステップと、
一時的に複数の静止画像を記憶可能な一時記憶手段に、静止画像を記憶させる一時記憶ステップと、
撮影可能コマ数を表示する表示手段に撮影可能コマ数を表示させる表示ステップと、
前記一時記憶手段および前記画像記録媒体の使用状態を監視し、前記一時記憶手段に記憶可能な静止画像のコマ数と前記画像記録媒体に記憶可能な静止画像のコマ数とを比較し、いずれか少ない方のコマ数を前記撮影可能コマ数として前記表示手段に表示させる制御ステップと
を含む処理を実行させるコンピュータが読み取り可能なプログラムが記録されていることを特徴とする記録媒体。
【請求項４】  静止画像を記憶する画像記録媒体を有する撮像装置において、
静止画像を連続して撮像する撮像手段と、
前記撮像手段から出力された連続する画像データを順次記憶可能な一時記憶手段と、
連続撮影可能コマ数を表示する表示手段と、
前記一時記憶手段および前記画像記録媒体の使用状態を監視し、前記一時記憶手段に記憶可能なコマ数と前記画像記録媒体に記憶可能なコマ数とを比較し、いずれか少ない方のコマ数を前記連続撮影可能コマ数として前記表示手段に表示させる制御手段と
を備えることを特徴とする撮像装置
【請求項５】  前記一時記憶手段に記憶された画像データを圧縮して前記画像記録媒体に記憶させる圧縮記憶手段
をさらに備えることを特徴とする請求項４に記載の撮像装置。
【手続補正３】
【補正対象書類名】明細書
【補正対象項目名】０００１
【補正方法】変更
【補正の内容】
【０００１】
【発明の属する技術分野】
本発明は、撮像装置および記録媒体に関し、特に、画像を圧縮して記録する撮像装置および記録媒体に関する。
【手続補正４】
【補正対象書類名】明細書
【補正対象項目名】０００４
【補正方法】変更
【補正の内容】
【０００４】
【発明が解決しようとする課題】
バッファメモリを利用するデジタルカメラにおいて、撮影者は、あとどれくらい撮影できるのか知ることはできない。従って、撮影者が、連写撮影直後、さらに連写撮影をしようとしたとき、このようなデジタルカメラは、バッファメモリが一杯になって、最も撮影がしたい肝心なシーンで、撮影できないことがある。
【手続補正５】
【補正対象書類名】明細書
【補正対象項目名】０００５
【補正方法】変更
【補正の内容】
【０００５】
本発明はこのような状況に鑑みてなされたものであり、撮影者があとどれくらい撮影できるのかを知ることができ、とっさの時に追加撮影で何枚連写できるかがわかるようにすることを目的とする。
【手続補正６】
【補正対象書類名】明細書
【補正対象項目名】０００６
【補正方法】変更
【補正の内容】
【０００６】
【課題を解決するための手段】
請求項１に記載の撮像装置は、静止画像を撮像する撮像手段と、一時的に複数の静止画像を記憶可能な一時記憶手段と、撮影可能コマ数を表示する表示手段と、一時記憶手段および画像記録媒体の使用状態を監視し、一時記憶手段に記憶可能な静止画像のコマ数と画像記録媒体に記憶可能な静止画像のコマ数とを比較し、いずれか少ない方のコマ数を撮影可能コマ数として表示手段に表示させる制御手段とを備えることを特徴とする。
【手続補正７】
【補正対象書類名】明細書
【補正対象項目名】０００７
【補正方法】変更
【補正の内容】
【０００７】
請求項２に記載の撮像装置は、被写体の静止画像を撮像する撮像手段と、被写体を観察する観察手段と、一時的に複数の静止画像を記憶可能な一時記憶手段と、観察手段と同時に視認できる位置に配置された表示手段と、一時記憶手段の使用状態を監視し、一時記憶手段に記憶可能な撮影コマ数を調べ、撮影コマ数を表示手段に表示させる制御手段とを備えることを特徴とする。
【手続補正８】
【補正対象書類名】明細書
【補正対象項目名】０００８
【補正方法】変更
【補正の内容】
【０００８】
請求項３に記載の記録媒体は、静止画像を記憶する画像記録媒体を有する撮像装置に、静止画像を撮像する撮像ステップと、一時的に複数の静止画像を記憶可能な一時記憶手段に、静止画像を記憶させる一時記憶ステップと、撮影可能コマ数を表示する表示手段に撮影可能コマ数を表示させる表示ステップと、一時記憶手段および画像記録媒体の使用状態を監視し、一時記憶手段に記憶可能な静止画像のコマ数と画像記録媒体に記憶可能な静止画像のコマ数とを比較し、いずれか少ない方のコマ数を撮影可能コマ数として表示手段に表示させる制御ステップとを含む処理を実行させるコンピュータが読み取り可能なプログラムが記録されていることを特徴とする。
【手続補正９】
【補正対象書類名】明細書
【補正対象項目名】０００９
【補正方法】変更
【補正の内容】
【０００９】
請求項４に記載の撮像装置は、静止画像を連続して撮像する撮像手段と、撮像手段から出力された連続する画像データを順次記憶可能な一時記憶手段と、連続撮影可能コマ数を表示する表示手段と、一時記憶手段および画像記録媒体の使用状態を監視し、一時記憶手段に記憶可能なコマ数と画像記録媒体に記憶可能なコマ数とを比較し、いずれか少ない方のコマ数を連続撮影可能コマ数として表示手段に表示させる制御手段とを備えることを特徴とする。
請求項５に記載の撮像装置は、一時記憶手段に記憶された画像を圧縮して前記画像記録媒体に記憶する圧縮記憶手段を備えることを特徴とする。
請求項１、請求項２、請求項４、および請求項５に記載の撮像装置、並びに請求項３に記載の記録媒体においては、静止画像を撮像し、一時的に複数の静止画像を記憶し、記憶状態を表示し、記憶状態を監視し、表示を制御する。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】変更
【補正の内容】
【００１２】
【発明の実施の形態】
図１は、本発明に係る撮影装置の一実施の形態の構成を示すブロック図である。撮影レンズ１は、ＡＦ(Auto Focusing)モータ２７により、被写体に対し焦点
（ピント）の位置を一致するように駆動され、被写体の像をＣＣＤ(Charge Coupled Device)撮像素子９の受光面上に結像させる光学レンズである。絞り２は、
撮影レンズ１を通過した光束を規制し、視野または結像に対してそれほど重要でない周辺光線を遮断し、ＣＣＤ撮像素子９に到達する光束の量を制限する。クイックリターンミラー３は、絞り２を通過した光束の一部を反射して、多分割ＳＰＤ(Silicon Photo Diode)４に導く。撮像のとき、モータ２８の駆動力により、
クイックリターンミラー３は、図１の上側に跳ね上げられ、絞り２を通過した光束の全てがＣＣＤ撮像素子９に到達するようになされている。クイックリターンミラー３を透過した光束は、シャッタ５に到達する。シャッタ５は、撮像しないとき、閉じた状態にあり、クイックリターンミラー３を透過した光束を遮断する（光束はＣＣＤ撮像素子９に到達しない）。撮像するとき、シャッタ５は、所定の時間、開いた状態になり、絞り２を通過した光束（撮像のとき、クイックリターンミラー３は、跳ね上げられる）を、ＣＣＤ撮像素子９に到達させる。ＣＣＤ撮像素子９は、撮像のとき、撮影レンズ１および絞り２を通過し、ＣＣＤ撮像素子９の受光面に結像した光束（被写体の像）を受光し、受光量に応じた電荷を蓄積するとともに、蓄積した電荷を画像データとして、信号処理回路１１に供給する。
【手続補正１３】
【補正対象書類名】明細書
【補正対象項目名】００４８
【補正方法】変更
【補正の内容】
【００４８】
【発明の効果】
請求項１、請求項２、請求項４、および請求項５に記載の撮像装置、並びに請求項３に記載の記録媒体によれば、静止画像を撮像し、一時的に複数の静止画像を記憶し、記憶状態を表示し、記憶状態を監視し、表示を制御するようにしたので、撮影者があとどれくらい撮影できるのか知ることができ、とっさの時に追加撮影で何枚連写できるかがわかるようになる。